【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】  被覆層及び芯層を含み、前記被覆層がスルホネート、ホスホネート及びこれらの混合物からなる群から選ばれた成分を有する熱可塑性ポリマーから形成された少なくとも1種のイオノマーから実質的になる組成物から形成されていることを特徴とするゴルフボール。
【請求項２】  被覆層及び少なくとも1種の芯層を含むゴルフボールであって、該少なくとも1つの芯層が、スルホネート、ホスホネート及びこれらの混合物からなる群から選ばれた成分を有する熱可塑性ポリマーから形成された少なくとも1種のイオノマーを含む組成物から形成されていることを特徴とするゴルフボール。
【請求項３】  被覆層、中間層及び芯層を含むゴルフボールであって、該少なくとも1つの芯層、中間層及び被覆層が、スルホネート、ホスホネート及びこれらの混合物からなる群から選ばれた成分を有する熱可塑性ポリマーから形成された少なくとも1種のイオノマーを含む組成物から形成されていることを特徴とするゴルフボール。
【請求項４】  前記熱可塑性ポリマーが、ポリオレフィン、ポリカーボネート、ポリアミド、ポリフェニレンオキシド、イミド化アミノ基含有ポリマー、ポリエーテルケトン、ポリスルホン、ポリ（フェニレンスルフィド）、ポリ（エーテルイミド）、強化エンジニアリングプラスチック、ポリ（Ｎ−オクタデシルアクリルアミド）、ポリ（オクタデシルメタクリレート）、ポリ（エチレンオキシド）、ポリ（オキシメチレン）、ポリ（シラザン）、ポリ（フランテトラカルボン酸ジイミド）、ポリ（アクリロニトリル）、ポリ(アルキル)アルキルアクリレート、ポリエステル、ポリ（スチレン）、ポリ（α−メチルスチレン）、ポリ（４−ドデシルスチレン）、ポリ（４−テトラデシルスチレン）、アクリリック−スチレン−アクリロニトリルコポリマー、アクリロニトリル−ブタジエン−スチレンコポリマー、高衝撃ポリスチレン；スチレン若しくはα−アルキルスチレンモノマーと、ビニルオキサゾリン若しくは１−アルキルビニルオキサゾリンモノマーとから実質的になり、アルキル基が、他とは関係なく、メチルからデシルまでの範囲で、直鎖又は分岐しうるものであるコポリマー；スチレン若しくはα−アルキルスチレンモノマーと、アルキルアクリレート若しくはアルキルアルキルアクリレートモノマーと、ビニルオキサゾリン若しくは１−アルキルビニルオキサゾリンモノマーとから実質的になり、アルキル基が、他とは関係なく、メチルからデシルまでの範囲で、直鎖又は分岐しうるものであるターポリマー、
の少なくとも1種を含む、請求項１、２又は３に記載のゴルフボール。
【請求項５】  前記熱可塑性ポリマーが、ブロックコポリ(エステル-エステル)、ブロックコポリ(エステル-エーテル)、ブロックコポリ(アミド-エステル)、ブロックコポリ(アミド-エーテル)、ブロックコポリ(ウレタン-エステル)、ブロックコポリ(ウレタン-エーテル)、不飽和ゴムを含むブロックポリスチレン熱可塑性エラストマー、官能化した実質的に飽和のゴムを含むブロックポリスチレン熱可塑性エラストマー、ポリプロピレンとエチレン-プロピレン-ジエンターポリマーゴム又はエチレン-プロピレンコポリマーゴムとを含む未加硫熱可塑性樹脂-エラストマー混合物、ポリプロピレンとエチレン-プロピレン-ジエンターポリマーゴム又はエチレン-プロピレンコポリマーゴムとを含み、これらのゴムが動的に加硫されている熱可塑性樹脂-エラストマー混合物、ゴムが動的に加硫されている溶融結合性熱可塑性樹脂-エラストマー混合物、及びこれらの混合物からなる群から選ばれる、請求項１、２又は３に記載のゴルフボール。
【請求項６】  前記イオノマーが、金属塩基と、スルホン化及び/又はリン酸化ポリマーとの反応生成物である、請求項１、２又は３に記載のゴルフボール。
【請求項７】  前記組成物が、前記少なくとも1種のイオノマーとの混合物中に、少なくとも1種の共成分ポリマーを含む請求項２又は３に記載のゴルフボール。
【請求項８】  前記共成分ポリマーが、通常のイオノマー、非イオノマー熱可塑性エラストマー、非イオノマー熱可塑性ポリマー、非イオノマー熱硬化性ポリマー、及びこれらの混合物からなる群から選ばれる、請求項７に記載のゴルフボール。
【請求項９】  前記非イオノマー熱可塑性エラストマーが、ブロックコポリ(エステル-エステル)、ブロックコポリ(エステル-エーテル)、ブロックコポリ(アミド-エステル)、ブロックコポリ(アミド-エーテル)、ブロックコポリ(ウレタン-エステル)、ブロックコポリ(ウレタン-エーテル)、不飽和ゴムを含むブロックポリスチレン熱可塑性エラストマー、官能化した実質的に飽和のゴムを含むブロックポリスチレン熱可塑性エラストマー、ポリプロピレンとエチレン-プロピレン-ジエンターポリマーゴム又はエチレン-プロピレンコポリマーゴムとを含む未加硫熱可塑性樹脂-エラストマー混合物、ポリプロピレンとエチレン-プロピレン-ジエンターポリマーゴム又はエチレン-プロピレンコポリマーゴムとを含み、これらのゴムが動的に加硫されている熱可塑性樹脂-エラストマー混合物、ゴムが動的に加硫されている溶融結合性熱可塑性樹脂-エラストマー混合物、及びこれらの混合物からなる群から選ばれる、請求項８に記載のゴルフボール。
【請求項１０】  前記イオノマーのスルホネート及び/又はホスホネート成分の1〜90モル%が、イオン形で存在する、請求項１、２又は３に記載のゴルフボール。
【請求項１１】  前記イオノマーのスルホネート及び/又はホスホネート成分の少なくとも10モル%が、イオン形で存在する、請求項１０に記載のゴルフボール。
【請求項１２】  前記熱可塑性ポリマーが、スルホン化熱可塑性エラストマー、スルホン化熱可塑性ポリマー、スルホン化熱硬化性ポリマー及びこれらの混合物からなる群から選ばれる、請求項１、２又は３に記載のゴルフボール。
【請求項１３】  前記熱可塑性ポリマーが、0.1〜30モル%のスルホネート成分を含有する請求項１２に記載のゴルフボール。
【請求項１４】  前記熱可塑性ポリマーが、オレフィン系ポリマー、ポリアミド、ポルエステル、スチレンを含むポリマー、ポリ(アルキル)アルキルアクリレート、ポリカーボネート、ポリフェニレンオキサイド、ポリエーテルケトン、ポリスルホン、ポリ(フェニレンスルフィド)、ポリ(エーテルイミド)、芳香族成分を含む強化エンジニアリングプラスチック、及びこれらの混合物からなる群から選ばれる、請求項１、２、３又は１２に記載のゴルフボール。
【請求項１５】  前記非イオノマー熱硬化性ポリマーが、ポリ(イソプレン)、ポリ(ブタジエン)、ポリ(オクテネマー)、スチレン-ブタジエンゴム、エチレン-プロピレン-ジエンターポリマーゴム、エチレン-プロピレンコポリマーゴム、ニトリルゴム、ブチルゴム、ポリ(クロロプレン)、ポリ(ウレタン)、ポリ(尿素)、ポリ(シロキサン)、クロロトリフルオロエチレンコポリマーゴム、フッ化ビニリデン-ヘキサフルオロプロピレンコポリマーゴム、ポリスルフィドゴム、エピクロロヒドリンゴム、不飽和ポリ(エステル)、フェノール樹脂、エポキシ樹脂、アルキッド樹脂、アリル樹脂、フラン樹脂、及びこれらの混合物からなる群から選ばれる請求項８に記載のゴルフボール。
【請求項１６】  前記非イオノマー熱可塑性ポリマーが、ポリ(アミド)、ポリ(エチレンテレフタレート)、ポリ（ブチレンテレフタレート）、ポリ(トリメチレンテレフタレート)、ポリ(エチレンナフタレート)、ポリ(ビニルアルコール)、ポリ(酢酸ビニル)、ポリ(シラン)、ポリ(フッ化ビニリデン)、アクリロニトリル-ブタジエン-スチレンコポリマー、これらのコポリマー、及びこれらの混合物からなる群から選ばれる請求項８に記載のゴルフボール。
【請求項１７】  前記非イオノマー熱可塑性ポリマーが、ポリアミド6、ポリアミド11、ポリアミド12、ポリアミド4,6、ポリアミド6,6、ポリアミド6,9、ポリアミド6,10、ポリアミド6,12、及びこれらの混合物からなる群から選ばれる、請求項８又は１６に記載のゴルフボール。
【請求項１８】  前記非イオノマー熱可塑性ポリマーが、ポリアミド6/6,6、ポリアミド6,6/6,10、ポリアミド6/6,T、ポリアミド6/6,6/6,10、及びこれらの混合物からなる群から選ばれる、請求項８又は１６に記載のゴルフボール。
【請求項１９】  前記非イオノマー熱硬化性ポリマーが、ポリ(クロロプレン)、ポリ(ウレタン)、ポリ(尿素)、ポリ(シロキサン)、クロロトリフルオロエチレンコポリマーゴム、フッ化ビニリデン-ヘキサフルオロプロピレンコポリマーゴム、ポリスルフィドゴム、エピクロロヒドリンゴム、不飽和ポリ(エステル)、フェノール樹脂、エポキシ樹脂、アルキッド樹脂、アリル樹脂、フラン樹脂、及びこれらの混合物からなる群から選ばれる、請求項８に記載のゴルフボール。
【手続補正２】
【補正対象書類名】明細書
【補正対象項目名】００９５
【補正方法】変更
【補正の内容】
【００９５】
ここで、用語「スチレン含有ポリマー」は、少なくとも１のスチレンモノマー単位又は少なくとも１の置換スチレンモノマー単位を含んでなる熱可塑性ポリマーを意味する。置換スチレンモノマー単位は、約１〜約１８個の炭素原子を有する直鎖又は分岐アルキル基で芳香環を置換することによって、スチレンモノマーから製造することがでで、この用語は上に定義されているとおりである。このような置換スチレンモノマーの例は、４−ドデシルスチレンである。代わりに、スチレンモノマー芳香環は、上述したように、他と関係なくそれぞれの置換基で複数置換されうる。このような置換スチレンモノマーの例は、２−エチル−４−クロロメチルスチレンである。更に、スチレンモノマー、置換スチレンモノマー、又は複数置換スチレンモノマーは、更に約１〜約１８個の炭素原子を有する直鎖又は分岐アルキル基によって、芳香環にα位で置換することができ、この用語は、上記定義どおりであり、そのα置換基は、他と関係なくいずれの他の置換基からも選択される。このような置換スチレンモノマーの例としては、限定するものではないが、α−メチルスチレン、α−メチル−４−ドデシルスチレン及びα−メチル−２−エチル−４−クロロメチルスチレンが挙げられる。用語「スチレン含有ポリマー」は、具体的には以下の材料を包含する意である：ポリ（スチレン）；ポリ（α−メチルスチレン）；ポリ（４−ドデシルスチレン）；ポリ（４−テトラデシルスチレン）；アクリリック−スチレン−アクリロニトリルコポリマー；ＡＢＳ；ＨＩＰＳ；基本的にスチレン若しくはα−アルキルスチレンモノマーと、ビニルオキサゾリン若しくは１−アルキルビニルオキサゾリンモノマーとから成り、該アルキル基は、他とは関係なく、メチルからデシルまでの範囲で、直鎖又は分岐しうるものであるコポリマー；及び基本的にスチレン若しくはα−アルキルスチレンモノマーと、アルキルアクリレート若しくはアルキルアルキルアクリレートモノマーと、ビニルオキサゾリン若しくは１−アルキルビニルオキサゾリンモノマーとから成り、該アルキル基は、他とは関係なく、メチルからデシルまでの範囲で、直鎖又は分岐しうるものであるターポリマー。
いずれのスチレン含有ポリマーも、例えば無水マレイン酸でグラフトして官能化することもできる。更に、用語「スチレン含有ポリマー」は、少なくとも２種のスチレン含有ポリマーの混合物をも包含する。